(57)【要約】【課題】この発明は、貯留タンクから玉払出し装置までの通路長さを短縮して小型化を図っても、その短い距離で積層状態の玉を崩して、後段の玉払出し装置に玉を１個ずつ円滑に流下させることができる玉崩し性能を有する。【解決手段】この発明は、傾斜通路上を積層状態で流下してきた玉を崩し、その崩した玉を玉１個分の通路高さに制限して通過させる玉通過制限装置であって、前記玉の球面と略同円弧面を外周面に凹状に有する玉崩しローラを、前記積層状態で流下してきた上層部の玉と回転接触する高さ位置に対設する。【選択図】  図８
2004283199.tif 000002
【特許請求の範囲】
【請求項１】
傾斜通路上を積層状態で流下してきた玉の重なりを崩し、その崩した玉を玉１個分の通路高さに制限して通過させる玉通過制限装置であって、
前記玉の球面と略同円弧面を外周面に凹状に有する玉崩しローラを、前記積層状態で流下してきた上層部の玉と回転接触する玉崩し位置に対設した
玉通過制限装置。
【請求項２】
前記玉崩しローラの外周面を弾性体で形成した
請求項１記載の玉通過制限装置。
【請求項３】
前記玉崩しローラを傾斜通路上の玉崩し位置より退避許容させて対設した
請求項１記載の玉通過制限装置。
【請求項４】
前記玉崩しローラの玉崩し位置は、該玉崩しローラと、その下方に対向する傾斜通路の底面との対向面間を、玉１個を通過許容する通路高さ以上の間隔で、玉重なりの通過を制限する対向間隔の高さ位置に設定した
請求項１記載の玉通過制限装置。
【請求項５】
前記玉崩しローラを玉圧に対応して玉崩し位置より退避移動または復帰移動させる弾性支持手段を備えた
請求項１記載の玉通過制限装置。
【請求項６】
前記弾性支持手段は、傾動自由に軸支した傾動レバーの端部に前記玉崩しローラを取付け、
前記玉崩しローラが玉圧を受けて前記傾動レバーが後退する後退方向に抗して弾性対応する弾性対応片を前記傾動レバーより分岐して設けた
請求項５記載の玉通過制限装置。
【請求項７】
前記玉崩しローラの上流側には、前記積層状態で流下してきた上層部の玉を受止める受止め手段を備えた
請求項１記載の玉通過制限装置。
【請求項８】
前記玉崩しローラの下流側には、傾斜通路の底面とその上方の対向面間で玉の重なりを制限する重なり防止カバーを前記傾斜通路の上方に対設した
請求項１記載の玉通過制限装置。
【請求項９】
多数個の玉をパチンコ台の上流側で貯留する貯留タンクと、前記貯留タンクに貯留された玉を自重により傾斜通路上を転動させながら下流側に導いて整列する整列部と、前記整列部に整列された玉を定められた数だけ払出す玉払出し装置とを備えたパチンコ玉ホッパーであって、
前記玉払出し装置の前段に、
請求項１、２、３、４、５、６、７または８記載の
玉通過制限装置を備えたパチンコ玉ホッパー。
【発明の詳細な説明】
【０００１】
【発明の属する技術分野】
この発明は、例えばパチンコ遊技機の入賞玉の払出しや貸玉装置の貸玉の払出しを行うパチンコ玉ホッパーに関し、さらに詳しくは積層状態の多数個の玉を短い距離で崩して円滑に流下させるパチンコ玉ホッパーに関する。
【０００２】
【従来の技術】
以下、パチンコ遊技機を例にとって説明する。
一般に、特許文献１、特許文献２および特許文献３に開示されるようなパチンコ遊技機は、パチンコ玉（以下、玉と称す）を遊技媒体として、パチンコ台の背面側からパチンコ台の前面側に玉を供給している。この玉の供給に際しては、パチンコ遊技機の背面上部に多数個の玉を貯留する貯留タンク（景品玉タンク）を設置し、この貯留タンクへは上方の図示しない補給機構から玉を補給させて貯留し、これより貯留した玉を下方に払出すようにしている。この玉の払出し時に、貯留タンクから玉を整列する玉整列装置を介して、下方の玉払出し装置（入賞玉処理装置）に導き、ここで払出し指令された玉数を払出して、パチンコ遊技機の前面下部に位置する上皿または下皿に払出している。
【０００３】
このように、上流側の貯留タンクから供給された玉が玉整列装置を介して下流側の玉払出し装置へと導かれるが、この間の通路（樋）は玉が詰まらずにスムーズに下流へ転動していくように比較的緩やかな傾斜をしている。
【０００４】
また、玉整列装置は不規則に貯留された山積み状態の玉を１列または２列に整列させて玉払出し装置へと供給して行くため、整列する通路の距離を長く必要としていた。このため、貯留タンク、玉整列装置および玉払出し装置をパチンコ台の背面側に設けようとすると、貯留タンクから玉払出し装置までの一連の通路がＳ字状やＬ字状などの折り返し通路になってしまう。
【０００５】
このため、貯留タンク、玉整列装置および玉払出し装置のそれぞれを高さ方向に積み重ねる形で配置しなければならず、それゆえ高さ方向の寸法が大きくなってしまい遊技台背面側の多くのスペースを占有してしまっていた。
【０００６】
【特許文献１】
特開平５−２０８０６４号公報
【特許文献２】
特開平６−２３３８６５号公報
【特許文献３】
特開平８−７１２１２号公報。
【０００７】
【発明が解決しようとする課題】
上述の３つの特許文献に開示された技術では、貯留タンクから玉払出し装置までの処理順において、下流側の玉払出し装置の直前では玉の重なりを制限して通路を流れる玉を１個ずつ整列通過させることが必要になる。
【０００８】
ところが、貯留タンク内に多数の玉が山積みされている積層状態から、玉が、そのまま低位の下流側へと移動してくると、この山積み状態の玉を崩す部分での玉圧が高まり、この玉の重なりを崩す部分では玉がひしめき合って玉詰りを発生させやすくなっていた。
【０００９】
このように、積層状態のまま流下する玉を短い距離で１個高さにするのは問題点を解決するための障害が多く、現状では貯留タンクから玉払出し装置までの通路の短縮に限界が生じていた。
【００１０】
そこでこの発明は、貯留タンクから玉払出し装置までの通路長さを短縮して小型化を図ったとき、通路長さを短縮しても、その短い距離で玉を１個ずつ円滑に流下させることができる玉崩し性能の高いパチンコ玉ホッパーを提供することを目的とする。
【００１１】
【課題を解決するための手段】
この発明は、傾斜通路上を積層状態で流下してきた玉の重なりを崩し、その崩した玉を玉１個分の通路高さに制限して通過させる玉通過制限装置であって、前記玉の球面と略同円弧面を外周面に凹状に有する玉崩しローラを、前記積層状態で流下してきた上層部の玉と回転接触する玉崩し位置に対設したことを特徴とする。
【００１２】
この発明によれば、積層状態のまま流下してきた玉の上層部に、玉崩しローラのローラ面が接触し、このとき傾斜通路に沿って略直線的に流下する玉の移動方向に直交する方向にローラ面が回転して接触するので積層状態で流下する玉の動きが分散されて効果的に玉崩しが促進され、このローラの回転により安定した崩し力が得られる。このため、上層部の玉は順にローラ面に当って崩される。
【００１３】
ことに、玉崩しローラの外周面は玉の球面に凹凸対応するように略同円弧面を有しているため、玉と接触したときに該ローラの円弧面は点接触ではなく、面接触するので、球面との接触面積が広くなり、玉崩しローラと玉との間の滑りが小さくなる。このため、個々の玉に対する崩し力が伝わり易くなる。さらに、この玉崩しローラは回転自由に軸支するだけでもよく、この玉崩しローラを回転駆動機構に接続して、一定速度で回転駆動させることもできる。また、回転駆動した場合には、ローラ側から玉に玉崩し回転力を伝えることができる。
【００１４】
前記玉崩しローラの円弧面は、外周面の周方向に環状に設けてもよく、円弧面の複数個を周方向に等分して形成してもよい。
【００１５】
前記傾斜通路は、傾斜角度によって玉の流下速度が決まる。このため、玉の流下速度の調整のため、通路の途中で傾斜角度を若干異ならせて調整することもできる。例えば、積層状態で玉が流下する上流側では傾斜角度をやや小さくして緩やかに流下させて玉詰りを抑制するようにし、１個ずつ速やかに払出し処理する下流側では傾斜角度をやや大きくとって速く流下させるように設定することができる。
【００１６】
この発明の他の形態として、前記玉崩しローラの外周面を弾性体で形成したことを特徴とする。
【００１７】
この場合は、玉崩しローラの外周面が玉に接触したときに弾性対応するため、玉との滑り止め作用が大きくとれる。
【００１８】
この発明の他の形態として、前記玉崩しローラを傾斜通路上の玉崩し位置より退避許容させて対設したことを特徴とする。
【００１９】
この場合は、玉崩しローラに一時的に過剰な玉圧が加わったときは、これに連動して該玉崩しローラが一時的に退避するため、玉詰りを回避した動きが得られる。このため、積層状態の玉が崩されるときの動きを促進できる。
【００２０】
この発明の他の形態として、前記玉崩しローラの玉崩し位置は、該玉崩しローラと、その下方に対向する傾斜通路の底面との対向面間を、玉１個を通過許容する通路高さ以上の間隔で、玉重なりの通過を制限する対向間隔の高さ位置に設定したことを特徴とする。
【００２１】
この場合は、玉１個分の通過スペースを形成するので、これより玉を１個ずつ通過させることができる。例えば、この玉崩しローラを２個重なり高さ位置の玉と対応する高さ位置に配設すれば、その２個重なりの玉を直ちに１個高さ位置に玉崩しガイドする。このため、玉崩しローラを配設するだけで玉を１個ずつ後段に送ることができ、整列部自体の通路の短縮と、玉の個別送りを行う後段の玉払出し装置との間を短縮することができ、この結果、貯留タンクから玉払出し装置までの全体の通路長さを短縮できる。
この発明の他の形態として、前記玉崩しローラを玉圧に対応して玉崩し位置より退避移動または復帰移動させる弾性支持手段を備えたことを特徴とする。
【００２２】
この場合は、玉崩しローラが弾性対応して移動するため、ローラ面をそのときの玉圧に応じて接触対応させることができる。これにより、玉詰りの原因となる玉の動きを阻止してしまうのを回避した玉崩しができる。
【００２３】
また、弾性支持手段は過剰な玉圧を受けて大きく後退移動したときに弾性変位し、このときに一定領域を越えると、該弾性支持手段の弾性力を作用させるように構成する。
この発明の他の形態として、前記弾性支持手段は、傾動自由に軸支した傾動レバーの端部に前記玉崩しローラを取付け、前記玉崩しローラが玉圧を受けて前記傾動レバーが後退する後退方向に抗して弾性対応する弾性対応片を前記傾動レバーより分岐して設けたことを特徴とする。
【００２４】
この場合は、弾性対応片が傾動レバーと同部材のため、新たな弾性部材を用いずに構成できる。このため、部品点数が少なくて済む。
【００２５】
この発明の他の形態として、前記玉崩しローラの上流側には、前記積層状態で流下してきた上層部の玉を受止める受止め手段を備えたことを特徴とする。
【００２６】
この場合は、受止め手段と玉崩しローラとを併用することによって、上流側で積層状態にある玉の上層部の流れを受止め手段で阻止できるため、下部層の玉だけを流下させることができ、これ以降は下流側への玉数を減らして供給することができる。これにより、下流側への玉圧を軽減できるので、玉崩しローラでの玉崩しを容易にできる。
【００２７】
この発明の他の形態として、前記玉崩しローラの下流側には、傾斜通路の底面とその上方の対向面間で玉の重なりを制限する重なり防止カバーを前記傾斜通路の上方に対設したことを特徴とする。
【００２８】
この場合は、玉崩しローラと重なり防止カバーとを併用することによって、玉崩しローラを通過した玉は、仮に通路底面より浮き上がっていても重なり防止カバーによって浮き上がった玉の頂点がガイドされて上動規制される。このため、玉は浮き上がることがなく、玉高さを揃えながら整列して流下させることができる。
【００２９】
別の発明では、多数個の玉をパチンコ台の上流側で貯留する貯留タンクと、前記貯留タンクに貯留された玉を自重により傾斜通路上を転動させながら下流側に導いて整列する整列部と、前記整列部に整列された玉を定められた数だけ払出す玉払出し装置とを備えたパチンコ玉ホッパーであって、前記玉払出し装置の前段に、上述した玉通過制限装置を備えたことを特徴とする。
【００３０】
ここで貯留タンクとは、パチンコ遊技機に遊技利用される玉の多数個を貯留許容できる大きさの凹形状を有し、これより玉の自重を利用して下方に玉を少しずつ供給するものである。
【００３１】
前記整列部とは、貯留タンクの下流側に接続され、前記貯留タンクより供給された玉を１列あるいは複数列に整列させて下流側の玉払出し装置に玉を安定供給できるように整列流下させるものである。
【００３２】
前記玉払出し装置とは、整列部の下流側に接続され、ここに整列して導かれた玉をスプロケットの回転により払出し指定された数だけ下流側の受皿へと払出すものである。
【００３３】
この場合は、玉詰り回避性能の優れた玉通過制限装置を組込んだ玉流れのよいパチンコ玉ホッパーを構築できる。また、玉通過制限装置の配置によって通路方向を短縮することができ、ひいてはパチンコ玉ホッパーの小型化を図ることができる。
【００３４】
【発明の実施の形態】
この発明の一実施の形態を以下図面に基づいて説明する。
【００３５】
図１はパチンコ遊技機のパチンコ台１１Ａの背面側上部に装備されるパチンコ玉ホッパー１１を示す。このパチンコ玉ホッパー１１は、図２にも示すように、上流側の貯留タンク１２と下流側の玉払出し装置１３とを一体化して構成され、これらは横長に設置した大きな貯留タンク１２の台端側に小さな玉払出し装置１３を連結した単体構成をとっている。
【００３６】
上述の貯留タンク１２は、図３に示すように、上面を開放した先細の凹形状を有し、この上面開放部に対して上方の図示しない補給機構から玉が補給され、ここで多数個の玉を貯留許容している。この貯留タンク１２に貯留された玉は自重により転動して上流側から下流側の玉払出し装置１３へと導くように構成している。
【００３７】
この場合、玉を上流側から下流側に円滑に通過させるために玉払出し装置１３の前段には整列通路１４を形成している。この整列通路１４は、図４に示すように、貯留タンク１２と一体に構成され、この貯留タンク１２の先端部に細長い整列通路１４を突出させて備えている。
【００３８】
ところで、上流側の貯留タンク１２内のタンク底面から下流側の玉払出し装置１３の玉を払出す底面にかけては、同一傾斜方向に緩やかに傾斜させて直進する長い同一傾斜通路Ｌを設けている。
【００３９】
この同一傾斜通路Ｌは、貯留タンク１２と整列通路１４と玉払出し装置１３との順に玉を転動させて通過させる各通路の底面を、同一傾斜方向の緩やかな傾斜角度に設定して接続した通路である。このため、玉が自重により上流側から下流側へと緩やかに転動する。またこの場合は、同一傾斜方向に直進する通路であるため、玉流下時の落差や方向変換がなくなり、玉の流下に適した滑らかな直進移動によって流下する。
【００４０】
この場合、傾斜角度が小さければ、その傾きが緩いので玉の転動速度が遅くなり、下流側への玉の供給が滞りやすくなる。これに対し、傾斜角度が大きいと、その傾きが急になるので連なって流下する玉の重力による負荷が過剰になりやすくなるので、例えば５〜８度程度の緩やかな傾斜角度に設定して転動させるのが適している。このため、ここを転動する玉は速度差が少なくなり安定して流下する。
【００４１】
ことに、同一傾斜通路Ｌは、斜め下向きに長く直進する通路であるため縦（高さ）方向よりも横方向に長く延びることになる。このため、高さ方向の占有場所が少なくて済み、高さ方向の長さを短縮した通路となる。
【００４２】
上述の貯留タンク１２と整列通路１４と玉払出し装置１３との順に連設される３要素については、これらを通路方向に直列して横長に一体に保持板１５で保持してなる一体物の水平払出しユニット１６を設けている。
【００４３】
この水平払出しユニット１６の保持板１５は、パチンコ台１１Ａの幅長さよりも短い横長で平板状を有し、この保持板１５の一片面に整列通路１４を備えた貯留タンク１２と玉払出し装置１３とを一体に取付けた状態で、他片面をパチンコ台の背面側上部に取付けて、該保持板１５の両面を取付け面に有効に利用している。また、この場合は１枚の保持板１５を介して取付けるため部品点数が少なくなり、取付けが簡単化する。さらに、パチンコ台１１Ａの背面側から見て、保持板１５の背面側には貯留タンク１２と玉払出し装置１３の一部が露出しているため、これら３要素に対しては係員による保守点検が容易になる。
【００４４】
また、貯留タンク１２と整列通路１４と玉払出し装置１３との３要素は横長の直列に連設された一体物の水平払出しユニット１６として単品で扱うことができるため、パチンコ台への組付け作業が容易になる。
【００４５】
さらに、この水平払出しユニット１６は横方向に向けて長い緩やかな同一傾斜通路Ｌを有しているため、全長が横方向に長く、直方体状の一体物となり、該通路Ｌの高さ方向を短くできる。このため、縦型のパチンコ台背面側の上部位置に横長にして小さく組込むことができる。このため、パチンコ台背面側に取付けられた水平払出しユニット１６の下方には他部品の取付けスペースが大きく取れる。また、３要素を直列させることにより、Ｓ字形通路のように通路を湾曲させたり、折り返させたりせずに済み、直線的に設けることができる。このため、全通路長さを短縮して小型化できる。
【００４６】
さらに、水平払出しユニット１６からの玉の払出し口１７を、該ユニット１６の玉払出し装置１３の通路終端側に位置する一端面に設けて、該払出し口１７より玉を斜め下方に払出すように構成している。このため、該ユニットの側方のスペースを十分に活用できる。ここに、玉降下通路１８（図１参照）を接続して、これより払出された玉を下方の図示しないパチンコ台前面の受皿へと払出す。
【００４７】
上述の同一傾斜通路Ｌの上流側に位置する貯留タンク１２の底面には、タンクスイッチＳＷ１と、玉有無スイッチＳＷ２を配設して、該タンク１２内での玉の収容状態を検知している。
【００４８】
この貯留タンク１２の下流側の先端部には、該タンク１２に貯留された山積み状態の玉を少しずつ整列させて流下させるように先端部の左右の両壁を八の字形の先細に絞り、その絞った細長い通路を前方に長く延設し、この延設部分を整列通路１４に設けている。
【００４９】
この整列通路１４は、左右の壁面とその間の仕切板とで２列の凹溝を有する通路１４ａ，１４ｂを構成している。
【００５０】
この場合、整列通路１４の底部には異物排除用に格子状に開口した排除口１４ｃを開口している。この排除口１４ｃを設けることにより、貯留タンク内に異物が混入しても、その下流側の整列通路１４に移動した時点で、異物は排除口１４ｃより落下して排除される。このため、常に玉Ｐのみを通過させるようにして異物の混入による玉詰りを回避することができる。
【００５１】
上述の２列の通路１４ａ，１４ｂを持つ整列通路１４と、その上方に対設される後述する玉崩しローラ１９とで、ここに不規則に導かれた玉を２列に整列させる。
【００５２】
上述の玉崩しローラ１９は、整列通路１４の上方に玉の重なりを崩して整列する整列部２０として対設したものである。この整列部２０は、通路方向に直交する上部の片持ち支持軸２１を傾動支点に通路方向に回動許容し、該軸２１の下部に回転自由な玉崩しローラ１９を吊支している。この玉崩しローラ１９を備えることにより、玉を貯留タンク１２から下流側の整列通路１４を介して玉払出し装置１３へと受渡す場合の玉の重なりを崩して過負荷を抑制することができ、玉の受渡しに適した流下ガイド作用が得られる。
【００５３】
そして、整列された玉はその下流側に位置する玉払出し装置１３へと２列に導かれる。この場合、図５に示すように、整列通路１４の先端部１４ｄは玉払出し装置１３の位置まで延びており、上流側の貯留タンク１２と下流側の玉払出し装置１３とは整列通路１４を介して直線的に同一傾斜通路Ｌにて接続されている。また、玉払出し装置１３は水平払出しユニット１６から着脱許容して設け、この玉払出し装置１３の内部の保守点検を容易にしている。
【００５４】
上述の貯留タンク１２は、貯留した多数個の玉Ｐを、自重により転動させて下流側の玉流下口１２ａへと導くようにしており、この玉流下口１２ａに向けて側面の幅方向を次第に幅狭に絞ったハの字形の絞り部を設けている。
【００５５】
また、この貯留タンク１２の下流側上部には、図６および図７にも示すように、天板２２を備えている。この天板２２は、整列通路１４と玉払出し装置１３の上面を覆う長さを有する平板で構成できる。この天板２２の上流側の端部には、貯留タンク１２の下流側に対応し、該貯留タンク内の上方から臨んで、重なり移動する玉Ｐの上層部を受止める受止め片  （図２参照）  ２３を垂設している。
【００５６】
この受止め片２３を設けることによって、山積み状態にある玉Ｐの上層部の流れを阻止する。このため、下部層の玉だけを流下させることができ、これ以降は玉数を十分に減らして下流側に供給することができる。これにより、下流側への玉圧を軽減できることになり、貯留タンク１２から整列通路１４側への玉Ｐの供給に適した円滑な流れを確保できる。
【００５７】
また、天板２２を設けたことにより、貯留タンク１２に供給された玉Ｐが仮に勢いよく飛び跳ねて整列通路１４や玉払出し装置１３に至っても天板２２で遮って、飛び込まなくなるので、玉詰りや誤動作を誘起する恐れがなくなる。
【００５８】
次に、玉を払出し動作する玉払出し装置１３について説明する。
この玉払出し装置１３は貯留タンク１２の下流側の整列通路１４に続く同一傾斜通路Ｌ沿って送り部２４と検出部２５とをこの順に有している。
【００５９】
上述の送り部２４は、同一傾斜通路Ｌの終端部上面にスプロケット２６を対設し、このスプロケット２６と同一傾斜通路Ｌとの間に導いた玉を払出し回転方向に１個ずつ連続的に送り出すものである。
【００６０】
また、上述のスプロケット２６と、その下方の同一傾斜通路Ｌとの上下間に導かれた玉はスプロケット２６の回転に伴って１個ずつ送り動作される。このため、連続的に供給される複数個の玉は途切れることなく連続的に払出しされる。このスプロケット２６は図示しない駆動モータおよび駆動機構の出力を受けて回転する。
【００６１】
上述の検出部２５は、払出された玉を計数する計数センサＳとして、例えば近接センサを同一傾斜通路Ｌの終端位置近くに配設して構成する。そして、玉が同一傾斜通路Ｌを通って払出されたとき、通過した払出し直後の玉を計数センサＳが計数する。
【００６２】
ところで、上述の玉崩しローラ１９は上流側の貯留タンク１２から下流側の玉払出し装置１３までの通路長さを短縮できる玉崩し機能を有している。その玉崩し機能について次に説明する。
【００６３】
具体的には、図８に示すように、上部の片持ち支持軸２１に傾動レバー２７を軸支し、この傾動レバー２７の下端部に玉崩しローラ１９を取付けている。この玉崩しローラ１９は、片持ち支持軸２１を傾動支点に通路方向に傾動自由に軸支されているため、同一傾斜通路Ｌ上の玉崩し位置より通路方向に後退して退避許容できる。この玉崩しローラ１９に上流側から一時的に過剰な玉圧が加わったときは、これに連動して該玉崩しローラ１９が一時的に退避するため、このローラの部分では過剰な玉圧による玉詰りを回避する動きが得られる。
【００６４】
この玉崩しローラ１９が玉崩しする高さ位置は、積層状態で流下してきた上層部の玉と回転接触する高さの玉崩し位置に対設している。これにより、積層状態のまま流下してきた玉の上層部に、玉崩しローラのローラ面が接触し、このとき同一傾斜通路Ｌ上に沿って略直線的に流下する玉の移動方向に直交する方向にローラ面が回転して接触するので積層状態で流下する玉の動きが分散されて効果的に玉崩しされる。
【００６５】
また、玉崩しローラ１９のローラ下面と、その下方に対向する傾斜通路の底面との対向面間を、玉１個を通過許容する通路スペースが得られる高さ間隔で、玉２個以上の通過を制限する高さ間隔に設定する。このため、整列通路１４にあっては、玉１個分の通過スペースを形成するので、これより玉を１個ずつ制限して通過させることができる。
【００６６】
さらに、この玉崩しローラ１９は、図９にも示すように、ローラ外周面に、玉の球面と略同じ円弧面２８を凹状に形成したスプロケット状を有している。この円弧面２８は玉の球面に凹凸対応するように凹状を有しているため、玉Ｐと接触したときに該円弧面２８は点接触ではなく、面接触するので、玉との接触面積が広くなり、玉崩しローラ１９と玉Ｐとの間の滑りが小さくなる。このため、個々の玉に対する崩し力が伝わり易くなる。また、ローラの大きさは外周面に円弧面２８を数個形成可能な大きさに設ける。この玉崩しローラ１９は、そのローラ軸１９ａを回転駆動機構に接続して、一定速度で回転駆動させるものである。そして、回転駆動した場合には、該ローラ側から玉に玉崩し回転力を伝えることができる。
【００６７】
また、玉との滑り止め作用を大きくとるために、該玉崩しローラ１９の外周面をウレタンゴムなどの弾性体２９で形成する。これにより、玉Ｐと接触したときに弾性体２９が弾性対応して、玉との密着性が高まり滑りのない安定した接触作用が得られる。
【００６８】
さらに、玉崩しローラ１９と一体の傾動レバー２７には、図１０に示すように、玉崩しローラ１９の退避方向に対応する下流面側に弾性対応片２７ａを分岐して突設している。この弾性対応片２７ａの後方には、後述する重なり防止カバー３０の上流側の端部が対設されている。
【００６９】
そして、玉崩しローラ１９が上流側からの過剰な玉圧を受けて退避移動したとき、弾性対応片２７ａが重なり防止カバー３０に受止められ、このときの弾性力により該玉崩しローラ１９は後退方向に抗して弾性対応する。このように、弾性対応片２７ａおよび傾動レバー２７と一体の玉崩しローラ１９が弾性対応して移動することができる。このため、玉詰りの原因となる玉の動きが阻止されるのを回避して玉崩しができる。また、弾性対応片２７ａは玉圧を受けて大きく後退移動したときに弾性変位し、このときに一定領域を越えると、該弾性対応片２７ａの弾性を作用させるように構成する。
【００７０】
また、弾性対応片２７ａは弾性力を持たせることが可能な例えば合成樹脂材で形成し、分岐元となる傾動レバー２７とは同部材であるため、新たな弾性部材を用いずに構成できる。このため、部品点数が少なくて済む。
【００７１】
さらに、この玉崩しローラ１９の下流側には、同一傾斜通路Ｌの底面とその上方の対向面間で玉の重なりを制限する平板状の重なり防止カバー３０を前記同一傾斜通路Ｌの上方に対設している。この重なり防止カバー３０は逆への字形の平板を、同一傾斜通路Ｌの上方に玉１個を通過許容する高さ間隔に沿設したものである。この重なり防止カバー３０によって、スプロケット２６の直前での整列を完全にする。
【００７２】
この重なり防止カバー３０と玉崩しローラ１９とを併用することによって、玉崩しローラ１９の位置を通過した玉Ｐは仮に若干浮き上がっていても重なり防止カバー３０によって、その浮き上がった玉の頂点がガイドされて上動規制される。このため、玉は浮き上がることがなく、玉高さを揃えながら整列して流下させることができる。
【００７３】
この重なり防止カバー３０の上流側の先端部が、上述した弾性対応片２７ａを受止めるストッパ面３０ａとして対向させている。図中、３１は玉止めストッパ片を示し、上動退避位置と下動ストッパ位置とに傾動して、玉の流れを開放または停止させるものである。
【００７４】
このように構成されたパチンコ玉ホッパー１１における玉の払出し処理動作を次に説明する。
【００７５】
パチンコ台１１Ａの背面側上部に設置されたパチンコ玉ホッパー１１の貯留タンク１２には、多数個の玉が払出し待機された状態で貯留されている。
【００７６】
この待機状態から、今、パチンコ遊技機の全体を制御するメイン制御部から玉の払出し信号が入力されて駆動モータが駆動されると、この駆動に基づいて上流側の貯留タンク１２では、玉Ｐが自重により高い位置から下流側の低い位置へと導かれる。
【００７７】
この貯留タンク１２の下流側にあっては、受止め片２３によって貯留タンク１２内の上層部の玉を受止めて、その上層部の流れを制限し、下層部の玉Ｐだけを通過させる。その後、玉Ｐは同一傾斜通路Ｌを通って流下し、整列通路１４へと至る。ここで不規則な積層状態の玉が順に１個高さに整列される。
【００７８】
この１個高さに整列する整列動作は、図１１（Ａ）に示すように、玉崩しローラ１９が積層状態で流下してきた重なり玉を受止める如く対応している。このとき、玉崩しローラ１９の玉崩し位置は通路底面から２個目の高さ位置の重なり玉と対応し、この高さ位置に対応する重なり玉の通過を制限している。
【００７９】
このとき、玉崩しローラ１９の外周面は、玉との接触面積が広くとれる円弧面２８を有していること、玉との密着性を高める弾性体２９を有していること、過剰な玉圧に対して退避許容する傾動機構を有していることから玉崩しローラ１９と玉Ｐとの接触面間は滑りのない接触作用が得られる。このため、図１１（Ｂ）に示すように、２個重なり高さ位置から１個高さの位置に至るまでの玉崩しローラ１９が回転する上下間において、長く接して玉Ｐを１個高さに落とし込むように玉崩しガイドする。
【００８０】
このため、積層状態の玉は玉崩しローラ１９の回転力を受けて個別に玉が崩され、図１１（Ｃ）に示すように、１個高さに整列されて流下する。
【００８１】
その後、同一傾斜通路Ｌより玉が浮き上がらないように重なり防止カバー３０で上動規制され、完全に１個ずつ整列された状態で下流側の玉払出し装置１３へと導かれる。
【００８２】
このとき、玉は同一傾斜通路Ｌを傾斜方向に直進して流下するため玉は方向変換することがなく、上流側の貯留タンク１２から下流側の玉払出し装置１３までの短縮された直線距離を通過して払出し動作される。また、同一傾斜通路Ｌの中間位置に該当する整列通路１４にあっては、払出し毎に玉は２列に順序よく整列された状態で流下し、これより玉払出し装置１３へと導かれる。
【００８３】
玉払出し装置１３では、スプロケット２６の回転に伴って玉Ｐは連続して個別送りされ、このスプロケット２６の回転駆動・停止の制御を受けて、定められた玉数が払出される。払出された玉は玉降下通路１８を介してパチンコ台前面側の上皿または下皿へと払出される。
【００８４】
この発明は上述の一実施の形態の構成に限定されるものではなく、請求項に記載される技術思想に基づいて応用することができ、多くの実施の形態を得ることができる。
【００８５】
【発明の効果】
この発明によれば、玉崩しローラの外周面に玉の球面に凹凸対応する略同円弧面を有しているため、球面との接触面積が広くなり、玉崩しローラと玉との間の滑りが小さくなり、玉崩し性能を高めることができる。
【図面の簡単な説明】
【図１】パチンコ玉ホッパーを備えたパチンコ台の要部背面図。
【図２】パチンコ玉ホッパーを示す縦断面図。
【図３】パチンコ玉ホッパーを示す斜視図。
【図４】貯留タンクを示す斜視図。
【図５】整列通路の玉整列状態を示す一部分解斜視図。
【図６】パチンコ玉ホッパーを示す一部分解斜視図。
【図７】パチンコ玉ホッパーの玉払出し状態を示す要部縦断面図。
【図８】玉崩しローラの使用状態を示す要部縦断面図。
【図９】玉崩しローラのローラ部を示す拡大斜視図。
【図１０】玉崩しローラの弾性対応片の対応状態を示す要部縦断面図。
【図１１】玉崩しローラの玉崩し状態を示す要部縦断面図。
【符号の説明】
１１…パチンコ玉ホッパー
１２…貯留タンク
１３…玉払出し装置
１４…整列通路
１９…玉崩しローラ
Ｌ…同一傾斜通路Ｌ
Ｐ…玉
【図１】
2004283199.tif 000003
【図２】
2004283199.tif 000004
【図３】
2004283199.tif 000005
【図４】
2004283199.tif 000006
【図５】
2004283199.tif 000007
【図６】
2004283199.tif 000008
【図７】
2004283199.tif 000009
【図８】
2004283199.tif 000010
【図９】
2004283199.tif 000011
【図１０】
2004283199.tif 000012
【図１１】
2004283199.tif 000013